(57)【要約】      （修正有）【課題】組み立て後は各部材の間のガタツキの発生を防止できる組み立て型の商品仕切り具を提供する。【解決手段】商品が載置されるとともに、板面にスリットが形成された載置板１０と、スリットに係合する第１係合片１２Ｃが下端面１２Ａから突設され、側端面１２Ｂから第２係合片１２Ｄが突設されているとともに、第１係合片１２Ｃをスリットに係合させることで載置板１０に立設される仕切り板１２と、第２係合片１２Ｄと係合するスリットが板面に形成されているとともに、載置板１０の板面から仕切り板１２と直交する方向に立設されるストッパ板１４と、を備える商品仕切り器具である。【選択図】図１
2015128559.tif 000002
【特許請求の範囲】
【請求項１】
商品が載置されるとともに、板面に第１係合孔が形成された載置板と、
前記第１係合孔に係合する第１係合片が下端面から突設され、側端面から第２係合片が突設されているとともに、前記第１係合片を前記第１係合孔に係合させることで前記載置板に立設される仕切り板と、
前記第２係合片と係合する第２係合孔が板面に形成されているとともに、前記載置板の板面から前記仕切り板と直交する方向に立設されるストッパ板と、
を備える商品仕切り具。
【請求項２】
前記載置板は、前記載置板の板面に前記仕切り板と直交する方向に形成され、前記ストッパ板の下端部が係合する係合溝を有する請求項１に記載の商品仕切り具。
【請求項３】
前記第１係合片の先端部には前記仕切り板の面内方向へ屈曲するフック部が形成され、前記第１係合孔内には前記フック部が係止される係止部が形成され、
前記第２係合片の先端部には前記仕切り板の面内方向へ屈曲するフック部が形成されている請求項１または２に記載の商品仕切り具。
【請求項４】
前記載置板の前記板面にはリブが少なくとも１列設けられている請求項１〜３のいずれか１項に記載の商品仕切り具。
【請求項５】
前記リブは、前記載置板の長手方向に対して平行に設けられている請求項４に記載の商品仕切り具。
【請求項６】
前記リブは、前記載置板の長手方向に対して斜行するように設けられている請求項４に記載の商品仕切り具。
【請求項７】
前記仕切り板の一方または両方の面にはリブが少なくとも１列設けられている請求項４に記載の商品仕切り具。
【請求項８】
前記リブは、前記仕切り板の長手方向に対して平行に設けられている請求項７に記載の商品仕切り具。
【請求項９】
前記リブは、前記仕切り板の長手方向に対して斜行するように設けられている請求項７に記載の商品仕切り具。
【請求項１０】
前記仕切り板におけるリブの間の部分は開口されている請求項９に記載の商品仕切り具。
【請求項１１】
前記載置板における前記仕切り板が立設される側とは反対側の面に、前記載置板を商品陳列棚の棚板に載置した際に前記載置板の棚板に対する滑りを防止する滑り防止手段が設けられている請求項１〜１０のいずれか１項に記載の商品仕切り具。
【請求項１２】
前記滑り防止手段は滑り止めシートである請求項１１に記載の商品仕切り具。
【請求項１３】
前記載置板における前記仕切り板が立設される側とは反対側の面には、前記載置板を商品陳列棚の棚板に固定する固定手段が設けられている請求項１〜１２のいずれか１項に記載の商品仕切り具。
【請求項１４】
前記固定手段は面状磁石である請求項１３に記載の商品仕切り具。
【発明の詳細な説明】
【技術分野】
【０００１】
本発明は、商品仕切り具にかかり、特に、組み立て型の商品仕切り具において、組み立て後は各部財の間のがたつきの発生を防止できる商品仕切り具に関する。
【背景技術】
【０００２】
商品の陳列器具としては、たとえば、矩形平板状のプラスチック板の表面に、複数のスライドリブを互いに平行に形成したプラスチック製スライド板を、複数、棚に平行に設置または固定したものがある（特許文献１）
【０００３】
また、通い箱などの移送装置として、レール状に長手方向に延びる支持部からなる略Ｌ字型のアングルを備え、このアングルの天面に当たる箇所にガイド部が形成され、このアングルの底部に、プラスチック板の表面にスライドリブを互いに平行に形成したスライド板を両面粘着テープ等で固定したものがある（特許文献２）。
【０００４】
商品の陳列器具としては、また、複数の突状リブを長手方向に設けたスライド板に仕切り板を立設した形態の陳列器具において、スライド板の両側縁に係止孔を設けるとともに、仕切り板の底部両端に係合ピンを設け、この係合ピンをスライド板の係合孔に係合させる商品仕切り具がある（特許文献３）。
【先行技術文献】
【特許文献】
【０００５】
【特許文献１】特開２００７−１４５５９８号公報
【特許文献２】特開２００８−２６０６２９号公報
【特許文献３】特許第５００７４６３号公報
【発明の概要】
【発明が解決しようとする課題】
【０００６】
しかし、従来の組み立て型の商品仕切り具においては、たとえばスライド板の係合孔に仕切り板の係合ピンを係合させて仕切り板をスライド板に立設した際に、仕切り板とスライド板との間において、がたつきの発生が避けられなかった。
【０００７】
また、従来方法では、随時変更される商品サイズに合わせて、その都度スライド板の係合孔から仕切り板の係合ピンを抜き差ししながら、隣接する仕切り板の間隔を調整するために手間がかかるとともに、係合孔のピッチ間隔でしか仕切り板の間隔を調整できないために商品サイズに最適な間隔が実現できるとは限らなかった。
【０００８】
本発明は、設置が容易で、設置後は各部材の間のがたつきの発生を防止できる商品仕切り具の提供を目的とする。
【課題を解決するための手段】
【０００９】
本発明の第１の態様は、商品が載置されるとともに、板面に第１係合孔が形成された載置板と、前記第１係合孔に係合する第１係合片が下端面から突設され、側端面から第２係合片が突設されているとともに、前記第１係合片を前記第１係合孔に係合させることで前記載置板に立設される仕切り板と、前記第２係合片と係合する第２係合孔が板面に形成されているとともに、前記載置板の板面から前記仕切り板と直交する方向に立設されるストッパ板と、を備える商品仕切り具に関する。
【００１０】
前記商品仕切り具においては、商品は、載置板から立設された仕切り板の片側または両側に載置される。仕切り板は、下端面から突設された第１係合片が載置板の第１係合孔に係合し、載置板における商品が載置される側の面に立設される。そして、仕切り板の側端面から突設された第２係合片が、載置板の板面から仕切り板と直交する方向へ立設されたストッパ板の第２係合孔と係合することで、仕切り板の面内方向および面外方向へのガタツキが規制される。これにより、ストッパ板および仕切り板双方のガタツキが規制される。
【００１１】
また、前記商品仕切り具においては、商品を陳列するために予め傾斜を設けた商品陳列棚の棚板上の任意の位置に置くだけで、隣接する仕切り板の間隔はフリーサイズで、且つワンタッチで調整でき、商品サイズに最適な間隔を容易に実現できる。
【００１２】
本発明の第２の態様は、第１の態様の商品仕切り具において、載置板が、板面に仕切り板と直交する方向に形成され、ストッパ板の下端部が係合する係合溝を有することを特徴とする。
【００１３】
前記商品仕切り具においては、ストッパ板の下端部が係合する係合溝を、載置板の板面に仕切り板と直交する方向に形成することで、ストッパ板の面外方向のガタツキがさらに規制される。
【００１４】
本発明の第３の態様は、第１または第２の態様の商品仕切り具において、第１係合片の先端部に仕切り板の面内方向へ屈曲するフック部が形成され、第１係合孔内にフック部が係止される係止部が形成され、第２係合片の先端部に仕切り板の面内方向へ屈曲するフック部が形成されていることを特徴とする。
【００１５】
前記商品仕切り具においては、第１係合片の先端部に形成されたフック部を第１係合孔内の係止部に係止させ、第２係合片の先端部に形成されたフック部を第２係合孔に係合させるから、予想外の力がストッパ板または仕切り板に作用しても、ストッパ板および仕切り板が載置板から外れることがない。
【００１６】
前記態様の商品仕切り具においては、第１係合片のフック部と同様に、第２係合片のフック部が係止され収容される係止部となる凹部を、ストッパ板における第２係合片が挿入される側とは反対側の板面内に形成し、第２係合片のフック部がストッパ板の板面から突出しないようにすることもできる。これにより、第２係合片におけるストッパ板から突出した部分が破損することが防止される。
【００１７】
また、第１係合片の長さを適切に選ぶことにより、仕切り具を載置する商品陳列棚に設けた係止部に、第１係合片のフック部を係止することもでき、これによって仕切り板を棚板に固定するようにしてもよい。
【００１８】
本発明の第４の態様は、第１〜第３のいずれかの態様の商品仕切り具において、載置板の板面に、載置された商品の滑動を容易にする目的で、仕切り板の板面に対して平行に延在するとともに、必要な滑動性が得られるように、頭部を適度に尖らせたリブが少なくとも１列設けられていることを特徴とする。
【００１９】
前記商品仕切り具においては、載置板における仕切り板が係合される側の面にリブを形成しない場合と比較して、商品との接触がリブの先端部に限定されるために、仕切り板に沿った方向の商品の滑りが良好になる。また、商品載置面に多数のローラを設けた商品仕切り具等と異なり、可動部がないために長期間にわたって商品の滑りが維持される。
【００２０】
本発明の第５の態様は、第４の態様の商品仕切り具において、仕切り板の一方または両方の面にリブを少なくとも１列形成したことを特徴とする。
【００２１】
前記態様の商品仕切り具によれば、仕切り板にリブを設けない商品仕切り具と比較して、仕切り板と商品との接触部分の滑動が改善されることにより、商品の滑りが更に改善される。
【００２２】
前記載置板の板面または仕切り板に形成する夫々のリブは、前記載置板および仕切り板の長手方向に平行な一直線状のリブとすることができる。しかしながら、前記リブは、必ずしも前記載置板および仕切り板の長手方向に平行な一直線状である必要はなく、複数のリブが屈曲状、蛇行状、渦巻状、同心円状、或いは斜行して菱形に交差しながら長手方向に沿って延在する形態（斜行菱形状）とすることもできる。
【００２３】
リブが、載置板および仕切り板の長手方向に平行な一直線状の場合、商品の滑動方向がリブの方向に限定される傾向がある。したがって、商品の滑動方向を一方向に限定したい場合には、載置板および仕切り板の長手方向に平行な一直線状のリブが好ましい。
【００２４】
これに対して、リブを屈曲状、蛇行状、渦巻状、同心円状、斜行菱形状などの形態とすると、商品をある程度自由に回転しながら滑動させることができる。したがって、商品のある程度自由な回転を許容したい場合には、屈曲状、蛇行状、渦巻状、同心円状、斜行菱形状などの形態のリブが好ましい。
【００２５】
本発明の第６の態様は、第１〜第５のいずれかの態様の商品仕切り具において、載置板における仕切り板が立設される側とは反対側の面に、前記載置板を商品陳列棚の棚板に載置した際に前記載置板の棚板に対する滑りを防止する滑り防止手段が設けられていることを特徴とする。
【００２６】
載置板の裏面に滑り防止手段を設けることにより、例えば買い物客の手が不用意に載置板の商品や仕切り板に触れることにより、商品仕切り具が棚板上を滑って移動することが防止される。
【００２７】
滑り防止手段としては、例えば後述するように各種ゴム、エラストマ、または軟質樹脂から形成された滑り止めシートなどが挙げられる。
【００２８】
本発明の第７の態様は、第１〜第５のいずれかの態様の商品仕切り具において、載置板における仕切り板が立設される側とは反対側の面に、載置板を商品陳列棚の棚板に固定する固定手段が設けられていることを特徴とする。
【００２９】
前記商品仕切り具においては、固定手段によって載置板を商品陳列棚の棚板に固定することにより、棚板に対する商品仕切り具の移動をさらに確実に防止することができる。
【００３０】
固定手段としては、例えば面状磁石が挙げられる。商品陳列棚の棚板には通常鉄板が使用されるから、載置板における仕切り板が立設される側とは反対側の面に設けられた固定手段としての磁石によって、載置板を棚板に吸着、固定することができる。
【００３１】
本発明の第１〜第７の態様は、載置板、仕切り板、およびストッパ板の各部材を個別に作製した後に各部材を組み立てることによって完成する組み立て型の商品仕切り具であるが、各部材の組み立ての手間を省き、または完成した商品仕切り具の堅牢性を向上させるために、全部或いは一部の部材同士を一体成形することもできる。
【００３２】
また、各部材の素材としてプラスチックを用いることができ、それによって射出成形技術が利用でき、前述のような一体成形も容易になる。また、着色によって商品ディスプレイ性を向上させることができ、更に、抗菌剤などの機能性物質を添加することによって衛生保持などの各種要請にも対応が容易になる。
【００３３】
更に、仕切り板やストッパ板に窓状の開口部を設けたり、仕切り板やストッパ板をメッシュ状に形成したりすることにより、材料を節約したり、透視性を持たせて載置商品を見やすくしたりすることもできる。
【００３４】
加えて、本発明の商品仕切り具は、通常は、互いに隣接する商品仕切り具の間に商品を載置する形態で使用されるが、商品の底部形状や可撓性によっては、隣接する商品仕切り具の間に、リブを設けたスライド板を設置することにより、商品の底部が商品陳列棚の棚板に直接接触して仕切り板に沿った商品の滑りが阻害されるのを防止できる。
【発明の効果】
【００３５】
以上説明したように本発明によれば、組み立て後は各部材の間のガタツキの発生を防止できる組み立て型の商品仕切り具が提供される。
【図面の簡単な説明】
【００３６】
【図１】図１は、実施形態１の商品仕切り具の全体的な構成を示す斜視図である。
【図２】図２は、実施形態１の商品仕切り具において仕切り板にもリブを設けた例を示す斜視図である。
【図３】図３（Ａ）は、実施形態１の商品仕切り具の全体的な構成を示す側面図であり、図３（Ｂ）は、この商品仕切り具をストッパ板の側から見た構成を示す端面図である。
【図４】図４は、実施形態１の商品仕切り具において、ストッパ板の下端部が載置板の係合溝に係合しているところを示す拡大図である。
【図５】図５（Ａ）は、実施形態１の商品仕切り具の備える仕切り板の、図５（Ｂ）は、前記商品仕切り具の備えるストッパ板の構成を示す平面図であり、図５（Ｃ）は前記商品仕切り具の備える載置板の構成を示す平面図であり、図５（Ｄ）は前記載置板の構成を示す側面図である。
【図６】図６は、実施形態２の仕切り具を斜め下方から見た構成を示す斜視図である。
【図７】図７は、実施形態２の商品仕切り具の全体的な構成を示す斜視図である。
【図８】図８（Ａ）は、実施形態２の商品仕切り具の備える仕切り板の、図８（Ｂ）は、前記商品仕切り具の備えるストッパ板の構成を示す平面図であり、図８（Ｃ）は前記商品仕切り具の備える載置板の構成を示す平面図であり、図８（Ｄ）は前記載置板の構成を示す側面図である。
【図９】図９は、実施形態３の商品仕切り具の全体的な構成を示す斜視図である。
【図１０】図１０は、実施形態３の商品仕切り具の別の一例について全体的な構成を示す斜視図である。
【図１１】図１１は、実施形態３の商品仕切り具のさらに別の一例について全体的な構成を示す斜視図である。
【図１２】図１２は、実施形態４の商品仕切り具について、滑り板１８を載置板１０に貼り付けるところを示す斜視図である。
【図１３】図１３は、実施形態４の商品仕切り具の全体的な構成を示す斜視図である。
【図１４】図１４は、実施形態１の商品仕切り具を商品の陳列に使用したところを商品仕切り具におけるストッパ板とは反対側から見たところを示す説明図である。
【発明を実施するための形態】
【００３７】
１．実施形態１
以下、本発明に係る商品仕切り具の一例について図面を参照して詳細に説明する。
図１および図３に示すように、実施形態１にかかる商品仕切り具１は、矩形状の平面形状を有する載置板１０と、載置板１０の幅方向中央部に載置板１０の長手方向に沿って立設された仕切り板１２と、載置板１０の幅方向に沿った一方の側端面近傍から、仕切り板１２に直交する方向に立設されたストッパ板１４と、を有する。
【００３８】
図１、図３、および図５（Ａ）に示すように、仕切り板１２の下端面１２Ａから第１係合片１２Ｃが３個突設され、仕切り板１２におけるストッパ板１４に係合する側の高さ方向の側端面１２Ｂから第２係合片１２Ｄが２個突設されている。第１係合片１２Ｃは、先端部が仕切り板１２の面内方向、具体的には側端面１２Ｂに向かって突出するフック部とされ、第２係合片１２Ｄは、先端部が仕切り板１２の面内方向、具体的には下方に向かって突出するフック部とされている。
【００３９】
一方、図５（Ｃ）および図５（Ｄ）に示すように、載置板１０の幅方向中央部には、仕切り板１２の第１係合片１２Ｃが係合する第１係合孔としてのスリット１０Ａが載置板１０の長手方向に沿って３個設けられている。スリット１０Ａの内部には、第１係合片１２Ｃのフック部が係止される係止部としての段差が形成されている。載置板１０のストッパ板１４が係合する側の幅方向の側端面近傍には、ストッパ板１４の下端部が係合する係合溝１０Ｂが載置板１０の全幅に亘って設けられている。
【００４０】
図１〜図３および図５に示すように、載置板１０の仕切り板１２が立設される側の面、言い換えれば商品が陳列される側の面には、リブ１０Ｃが、載置板１０の長手方向に対して平行に、言い換えれば仕切り板１２が立設される方向に対して平行に載置板１０の全長に亘って一定間隔で複数設けられている。リブ１０Ｃの頂部は丸められ、リブ１０Ｃの先端部は全体として円弧状断面とされている。
【００４１】
また、図２に示すように、仕切り板１２にも下端面１２Ａと平行な方向、言い換えれば仕切り板１２が載置板１０に立設された状態において載置板１０の商品載置面に対して平行な方向に複数のリブ１２Ｅを設けることができる。リブ１２Ｅの頂部は丸められ、リブ１２Ｅの先端部は全体として円弧状断面とされている。
【００４２】
なお、リブ１０Ｃおよびリブ１２Ｅは等間隔で設ける必要は必ずしも無く、不等間隔で設けてもよいし、所定個数、例えば２個または３個おきに間隔を縮小し、または拡大してもよい。リブ１０Ｃを載置板１０に、リブ１２Ｅを仕切り板１２に設けることにより、これらのリブを設けない場合と比較して商品仕切り具１における商品のすべりを大幅に改善できる。
【００４３】
図６に示すように、載置板１０の裏面、言い換えれば仕切り板１２が立設される側とは反対側の面、さらに言い換えれば商品が載置される側とは反対側の面には、本発明の固定手段としての面状磁石１６が固定されている。
【００４４】
面状磁石１６としては、ジエン系ゴムや天然ゴム、シリコーンゴムなどの各種ゴム、ポリアミド系エラストマ、ポリウレタン系エラストマ、ポリエステル系エラストマ、ポリ乳酸系エラストマなどの各種熱可塑性エラストマ、および軟質塩化ビニル樹脂や塩化ビニル酢酸ビニル共重合体樹脂などの軟質樹脂にフェライト粉末などの磁性粉末を配合し、シート状に成形したものが挙げられる。なお、食品類に対して使用する場合には、面状磁石１６としては、ゴム材料としてシリコーンゴムを使用したものが食品衛生上好ましい。
【００４５】
なお、非鉄材料からなる棚板に使用する場合には、面状磁石１６の代わりにゴム、熱可塑性エラストマ、または軟質樹脂からなる滑り止めシート１７を貼付してもよい。ゴム、熱可塑性エラストマ、および軟質樹脂としては、段落「００４４」のところで述べたものが挙げられる。滑り止めシート１７においては、棚板に当接する側の面をシボ加工したり、サンドブラスト加工したり、布地のような粗面化工をしたりすれば、載置板１０と棚板との摩擦が増加するから好ましい。なお、食品類に対して使用する場合には、シリコーンゴムから形成した滑り止めシート１７が食品衛生上好ましい。
【００４６】
図５（Ｂ）に示すように、ストッパ板１４は上方に向かって縮小する略等脚台形状の平面形状を有する板状の部材であって、幅方向中央部には、仕切り板１２の第２係合片１２Ｄが挿入される第２係合孔としてのスリット１４Ａが長手方向に沿って２個形成されている。スリット１４Ａの長さは、第２係合片１２Ｄの側端面１２Ｂに沿った寸法と実質同一とされている。
【００４７】
商品仕切り具１は以下の手順に従って組み立てることができる。
先ず、ストッパ板１４の下端部を載置板１０の係合溝１０Ｂに係合させ、ストッパ板１４を載置板１０に立設させる。
【００４８】
次いで、仕切り板１２の第２係合片１２Ｄをストッパ板１４のスリット１４Ａに挿入し、仕切り板１２を下方に移動させる。これにより、図４に示すように第２係合片１２Ｄのフック部がストッパ板１４におけるスリット１４Ａが開口された部分に係止される。ついで、仕切り板１２の第１係合片１２Ｃを載置板１０のスリット１０Ａに挿入して側端面１２Ｂに向かって移動させ、第１係合片１２Ｃのフック部をスリット１０Ａの段差に係止させる。
【００４９】
これにより、ストッパ板１４は、仕切り板１２によって載置板１０に固定されるから、商品仕切り具１のストッパ板１４を持ち上げたときに、ストッパ板１４だけが上方に向かって抜けることがない。また、ストッパ板１４が、仕切り板１２の側端面１２Ｂを中心に回転する方向のがたつきの発生が抑えられる。
【００５０】
上記の手順に従って組み立てられた商品仕切り具１は、ストッパ板１４が購買者から見て手前側に位置するように、商品陳列棚の棚板上に載置される。棚板は、通常鉄製であるから、商品仕切り具１を棚板に載置すると、載置板１０の裏面に固定された面状磁石１６が棚板に吸着することにより、商品仕切り具１が棚板に固定される。
【００５１】
図１４に示すように、隣り合う２つの商品仕切り具１における仕切り板１２の間隔が商品の幅ｗと略同一になるように、複数個の商品仕切り具１が商品陳列棚の棚板上に載置、固定される。ここで、商品仕切り具１においては、仕切り板１２は載置板１０の幅方向中央部に立設されているから、載置板１０の幅Ｗを商品の幅ｗよりも小さく設定すれば、載置板１０の幅Ｗを商品の幅ｗよりも大きく設定した場合とは異なり、図１４に示すように、載置板１０に商品を載置した状態において、商品の底面の一部のみが載置板１０に当接する。したがって、載置板１０の幅Ｗを商品の幅ｗよりも大きく設定した場合と比較して商品の滑りがさらに改善される。
【００５２】
２．実施形態２
以下、本発明に係る商品仕切り具の他の例について図面を参照して詳細に説明する。図７および図８において図１〜図６と同一の符号は、これらの符号が図１〜図６において示すのと同一の構成要素を示す。
【００５３】
図７に示すように、実施形態２にかかる商品仕切り具２は、矩形状の平面形状を有する載置板２０と、載置板２０の一方の長手方向の側端面に沿って立設された仕切り板１２と、載置板２０から仕切り板１２に直交する方向に立設されたストッパ板２４と、を有する。
【００５４】
仕切り板１２に形成された第１係合片１２Ｃおよび第２係合片１２Ｄについては実施形態１のところで述べたとおりである。
【００５５】
図８（Ｂ）に示すように、仕切り板１２の第１係合片１２Ｃを挿入するためのスリット２０Ａが、載置板２０の一方の長手方向側端面に沿って３個設けられている。スリット２０Ａの構成は、実施形態１の商品仕切り具１のスリット１０Ａと同様である。また、載置板２０における商品が載置される側の面、言い換えれば仕切り板１２が立設される側の面に長手方向に沿ってリブ２０Ｃが一定間隔で複数列設けられている点も実施形態１の商品仕切り具１における載置板１０と同様である。また、載置板２０のストッパ板２４が係合する側の幅方向側縁部には、ストッパ板２４の下端部が係合する係合溝２０Ｂが載置板２０の全幅に亘って設けられている。
【００５６】
図８（Ｂ）に示すように、ストッパ板２４は上方に向かって縮小する略台形状の平面形状を有する板状の部材であって、高さ方向の側端面の一方に沿って、仕切り板１２の第２係合片１２Ｄが挿入される第２係合孔としてのスリット２４Ａが２個形成されている。スリット２４Ａの長さは、第２係合片１２Ｄの側端面１２Ｂに沿った寸法と実質同一とされている。
【００５７】
商品仕切り具２を組み立てる手順は、実施形態１の商品仕切り具１の組み立て手順と同一である。
すなわち、先ず、ストッパ板２４の下端部を載置板２０の係合溝２０Ｂに係合させ、ストッパ板２４を載置板２０に立設する。
次いで、仕切り板１２の第２係合片１２Ｄをストッパ板２４のスリット２４Ａに挿入し、仕切り板１２を下方に移動させる。これにより、図４に示すように第２係合片１２Ｄのフック部がストッパ板２４におけるスリット２４Ａが開口された部分に係止される。
最後に、仕切り板１２の第１係合片１２Ｃを載置板２０のスリット２０Ａに挿入して側端面１２Ｂに向かって移動させ、第１係合片１２Ｃのフック部をスリット２０Ａの段差に係止させる。
【００５８】
３．実施形態３
以下、本発明に係る商品仕切り具のさらに別の例について図面を参照して詳細に説明する。図９〜図１１において図１〜図６と同一の符号は、特に説明がある場合を除き、これらの符号が図１〜図６において示すのと同一の構成要素を示す。
【００５９】
図９に示すように、実施形態３に係る商品仕切り具３においては、リブ１０Ｃは等間隔で設けられているが、リブ１０Ｃの方向は、載置板１０の長手方向に平行ではなく、載置板１０の長手方向に対して斜行すると共に、互いに交差するように形成されている。したがって、リブ１０Ｃは菱形格子状となる。
【００６０】
図１０に示すように、商品仕切り具３においては、載置板１０だけでなく、仕切り板１２にもリブ１２Ｅを形成できる。リブ１２Ｅの方向は、仕切り板１２の長手方向に平行ではなく、仕切り板１２の長手方向に対して斜行すると共に、互いに交差するように形成されている。したがって、リブ１０Ｃだけでなく、リブ１２Ｅもまた菱形格子状となる。
【００６１】
仕切り板１２にリブ１２Ｅを形成する場合においては、図１１に示すように、仕切り板１２の外周部を枠状に残した枠状部１２Ｆとし、枠状部１２Ｆ以外のリブ１２Ｅの間の部分が開口され、言い換えれば切り抜かれた形態、更に言い換えればメッシュ状の形態とすることもできる。図１１に示す形態の商品仕切り具３は、仕切り板１２を特に透明な材料で作製しなくても、仕切り板１２を通して反対側に存在する商品も目視で確認できる点、およびリブ１２Ｅの間にごみが溜まらない点で好ましい。なお、仕切り板１２のリブ１２Ｅだけでなく、載置板１０のリブ１０Ｃもメッシュ状とすることができる。リブ１０Ｃをメッシュ状とすれば、載置板１０にごみが溜まらない点で好ましい。
【００６２】
リブ１０Ｃおよびリブ１２Ｅは、実施形態１のところで述べたのと同様の断面とすることができる。
【００６３】
実施形態３の商品仕切り具３は、上記の点を除いては、実施形態１の商品仕切り具１と同様の構成を有する。
【００６４】
実施形態３の商品仕切り具３においては、リブ１０Ｃを載置板１０に、リブ１２Ｅを仕切り板１２に設けることにより、これらのリブを設けない場合と比較して商品仕切り具１における商品のすべりを大幅に改善できる。
【００６５】
また、商品の滑動方向がリブ１０Ｃの方向に限定されず、商品の回転が許容されるから、商品をある程度自由に回転させながら滑動させたい場合には、実施形態３に示すように、リブ１０Ｃおよびリブ１２Ｅを載置板１０および仕切り板１２の長手方向に対して斜行させると共に互いに交差した形態とすることが好ましい。なお、商品のある程度の回転を許容しつつも、商品の滑動にある程度の方向性を持たせたい場合には、リブ１０Ｃおよびリブ１２Ｅが形成する菱形の長短２本の対角線のうち、長いほうの対角線の方向を載置板１０および仕切り板１２の長手方向に一致させることが好ましい。
【００６６】
４．実施形態４
以下、本発明に係る商品仕切り具のさらに別の例について図面を参照して詳細に説明する。図１２および図１３において図１〜図６と同一の符号は、特に説明がある場合を除き、これらの符号が図１〜図６において示すのと同一の構成要素を示す。
【００６７】
図１２および図１３に示すように、実施形態４の商品仕切り具４においては、載置板１０の仕切り板１２が立設される側の面にリブ１０を直接形成する代わりに、載置板１０の前記面の全長に亘って滑り板１８が貼着されている。
【００６８】
滑り板１８における載置板１０の貼着される側とは反対側の面には、リブ１８Ａが形成されている。リブ１８Ａは、滑り板１８の長手方向に沿って、滑り板１８の全長に亘って一定間隔で複数設けられている。リブ１８Ａの頂部は丸められ、円弧状断面とされている。図１２および図１３に示す例においては、リブ１８Ａは滑り板１８の長手方向に対して平行に設けられているが、リブ１８Ａの方向は前記方向には限定されず、例えば屈曲状或いは斜行して菱形に交差しながら滑り板１８の長手方向に沿って延在するように形成してもよい。
【００６９】
実施形態４の商品仕切り具４は、上記の点を除いては、実施形態１の商品仕切り具１と同様の構成を有する。
【００７０】
実施形態４の商品仕切り具４は、載置板１０と滑り板１８とを別個の材料から形成することができるから、載置板１０をポリスチレン樹脂のような安価な材料から形成することによりコスト節減を図れる点で好ましい。
【符号の説明】
【００７１】
１ 商品仕切り具
２ 商品仕切り具
１０ 載置板
１０Ａ スリット
１０Ｂ 係合溝
１０Ｃ リブ
１２ 仕切り板
１２Ａ 下端面
１２Ｂ 側端面
１２Ｃ 第１係合片
１２Ｄ 第２係合片
１２Ｅ リブ
１４ ストッパ板
１４Ａ スリット
１６ 面状磁石
１７ 滑り止めシート
１８ 滑り板
２０ 載置板
２０Ａ スリット
２０Ｂ 係合溝
２０Ｃ リブ
２４ ストッパ板
２４Ａ スリット
【図１】
2015128559.tif 000003
【図２】
2015128559.tif 000004
【図３】
2015128559.tif 000005
【図４】
2015128559.tif 000006
【図５】
2015128559.tif 000007
【図６】
2015128559.tif 000008
【図７】
2015128559.tif 000009
【図８】
2015128559.tif 000010
【図９】
2015128559.tif 000011
【図１０】
2015128559.tif 000012
【図１１】
2015128559.tif 000013
【図１２】
2015128559.tif 000014
【図１３】
2015128559.tif 000015
【図１４】
2015128559.tif 000016